(57)【要約】  【解決手段】  アンダーカット溝は例えばヘッド本体の正面およびフェース板の背面のどちらか一つに設けられるのに対し、塑性変形フランジは例えばフェース板の背面およびヘッド本体の正面のどちらか一つに設けられ、塑性変形フランジはアンダーカット溝に対応するように形成される。組立時、塑性変形フランジの受圧変形によって係止部が形成されてアンダーカット溝の内部に係止されることにより、フェース板はヘッド本体に強固に結合するように構成されている。  【効果】  フェース板に少なくとも一個の塑性変形フランジを設置し、塑性変形フランジの受圧変形によってヘッド本体の少なくとも一個のアンダーカット溝に係止されることにより、緊密な結合が形成されるため、相対的に公差の精密度の要求性を低く抑え、加工の製造工程を簡単にし、さらに製造のコストを低く抑えることができる。【選択図】    図２
2006081860.tif 000002
【特許請求の範囲】
【請求項１】
ヘッド本体（２）、フェース板（３）、少なくとも一個のアンダーカット溝（２１１）および少なくとも一個の塑性変形フランジ（３１）により構成されるゴルフクラブヘッドとフェース板の結合構造であって、ヘッド本体（２）の正面には凹欠部（２２）が設けられ、フェース板（３）の正面はゴルフボールを打球するのに用いられ、少なくとも一個のアンダーカット溝（２１１）は例えばヘッド本体（２）の正面およびフェース板（３）の背面のどちらか一つに設けられ、少なくとも一個の塑性変形フランジ（３１）は例えば対応するようにフェース板（３）の背面およびヘッド本体（２）の正面のどちらか一つに設けられ、さらに塑性変形フランジ（３１）はアンダーカット溝（２１１）に対応するように形成され、組立時において、塑性変形フランジ（３１）の受圧変形によって係止部（３１’）が形成されてアンダーカット溝（２１１）の内部に係止されることにより、フェース板（３）はヘッド本体（２）に強固に結合されることを特徴とするゴルフクラブヘッドとフェース板の結合構造。
【請求項２】
アンダーカット溝（２１１）は斜めＶ字形の凹欠溝からなることを特徴とする請求項１記載のゴルフクラブヘッドとフェース板の結合構造。
【請求項３】
塑性変形フランジ（３１）は斜めＶ字形のフランジからなることを特徴とする請求項１記載のゴルフクラブヘッドとフェース板の結合構造。
【請求項４】
塑性変形フランジ（３１）の突出した先端点（３１１）はアンダーカット溝（２１１）の開口の範囲内に対応するように形成されることを特徴とする請求項１記載のゴルフクラブヘッドとフェース板の結合構造。
【請求項５】
アンダーカット溝（２１１）はヘッド本体（２）の正面に形成され、そして塑性変形フランジ（３１）はフェース板（３）の背面に形成されることを特徴とする請求項１記載のゴルフクラブヘッドとフェース板の結合構造。
【請求項６】
塑性変形フランジ（４４）はヘッド本体（４）の正面に形成され、そしてアンダーカット溝（５３）はフェース板（５）の背面に形成されることを特徴とする請求項１記載のゴルフクラブヘッドとフェース板の結合構造。
【請求項７】
ヘッド本体（４）には他に位置決め溝（４１）および位置決めフランジ（４３）が設けられ、さらにフェース板（５）の背面には他に位置決めフランジ（５１）が設けられ、フェース板（５）の位置決めフランジ（５１）はヘッド本体（４）の位置決め溝（４１）に嵌入することができ、そして位置決めフランジ（５１）のしまりばめにより係止されることを特徴とする請求項６記載のゴルフクラブヘッドとフェース板の結合構造。
【請求項８】
他に補助塑性変形フランジ（３２）が含まれ、補助塑性変形フランジ（３２）は例えばヘッド本体（２）の正面およびフェース板（３）の背面のどちらか一つの外周縁に近いところに形成され、補助塑性変形フランジ（３２）は受圧変形によって隙間充填部（３２’）が形成されることにより、ヘッド本体（２）とフェース板（３）との結合の隙間を充填することを特徴とする請求項１記載のゴルフクラブヘッドとフェース板の結合構造。
【請求項９】
補助塑性変形フランジ（３２）は対応するように塑性変形フランジ（３１）の外側に設けられることを特徴とする請求項８記載のゴルフクラブヘッドとフェース板の結合構造。
【請求項１０】
塑性変形フランジ（３１）の突出した割合は補助塑性変形フランジ（３２）より大きくなるように形成されることを特徴とする請求項８記載のゴルフクラブヘッドとフェース板の結合構造。
【請求項１１】
アンダーカット溝（２１１、５３）および塑性変形フランジ（３１、４４）は連続的にそれぞれ例えば対応するようにヘッド本体（２、４）の正面およびフェース板（３、５）の背面のどちらか一つに環設されることを特徴とする請求項１記載のゴルフクラブヘッドとフェース板の結合構造。
【請求項１２】
アンダーカット溝（２１１、５３）および塑性変形フランジ（３１、４４）は断続的にそれぞれ対応するようにヘッド本体（２、４）の正面およびフェース板（３、５）の背面のどちらか一つに環設されることを特徴とする請求項１記載のゴルフクラブヘッドとフェース板の結合構造。
【請求項１３】
ヘッド本体（２、４）はアイアン型、ウッド型、パター型のヘッドからなることを特徴とする請求項１記載のゴルフクラブヘッドとフェース板の結合構造。
【請求項１４】
フェース板（３）の断面はＵ字形に形成され、フェース板（３）には折り曲げられた支持環状壁（３３）が設けられることにより、フェース板（３）の弾性変形の能力を高めること特徴とする請求項１３記載のゴルフクラブヘッドとフェース板の結合構造。
【請求項１５】
アンダーカット溝（２１１）および塑性変形フランジ（３１）はそれぞれ対応するようにヘッド本体（２）の正面およびフェース板（３）の背面の支持環状壁（３３）の底端のどちらか一つに環設されることを特徴とする請求項１４記載のゴルフクラブヘッドとフェース板の結合構造。
【発明の詳細な説明】
【技術分野】
【０００１】
本発明は、ゴルフクラブヘッドとフェース板の結合構造に関するもので、特にフェース板とヘッド本体は受圧変形による係止方式を利用して緊密に結合したゴルフクラブヘッド構造に係るものである。
【背景技術】
【０００２】
従来のゴルフクラブヘッドとフェース板の結合構造としては、図１１に示すように、ヘッド本体１１およびフェース板１２が含まれ、ヘッド本体１１の正面には凹欠部１３が設けられ、凹欠部１３は半径方向に内から外へ向かって環状フランジ１４と肩部１５が形成される。フェース板１２の断面はＵ字形に形成されると共に、環状当接部１６が形成される。組立時において、フェース板１２の環状当接部１６は先ずヘッド本体１１の肩部１５に当接し、さらに環状フランジ１４のしまりばめにより係止するように形成される。それから、熔接を利用して環状当接部１６と肩部１５を結合することにより、ヘッド本体１１およびフェース板１２をゴルフクラブヘッドとして組成することができるようにとしたものがある（例えば、特許文献１を参照）。
【特許文献１】中華民国專利公報公告番号第５５７８０６号
【発明の開示】
【発明が解決しようとする課題】
【０００３】
上記のような従来のゴルフクラブヘッドとフェース板の結合構造においては、実際に使用すると、フェース板１２とヘッド本体１１の間には相当高い製造上の精密度を保たなければならず、そうすることによって両者が結合後において隙間が生じるのを有効に避けることができる。しかし、コストの比較的低い鋳造製造工程を選んでフェース板１２とヘッド本体１１を製造する場合、フェース板１２とヘッド本体１１の鋳造品質は熱膨脹冷縮により公差の精密度に影響を与え易いため、両者が結合前においてはそれぞれＣＮＣ機械加工機を利用して環状当接部１６と肩部１５を切削しなければ、精密な嵌接配合を確保することができない。フェース板１２とヘッド本体１１は冗長な機械加工の製造工程を行わなければならない状況でゴルフクラブヘッドの生産には不経済であるという問題点があった。このように、上記のような従来のゴルフクラブヘッドとフェース板の結合構造をさらに改良しなければならない。
【０００４】
本発明はこのような問題点に鑑みて発明したものであって、その目的とするところは、フェース板に少なくとも一個の塑性変形フランジを設置し、塑性変形フランジの受圧変形によってヘッド本体の少なくとも一個のアンダーカット溝に係止されることにより、緊密な結合が形成されるため、相対的に公差の精密度の要求性を低く抑え、加工の製造工程を簡単にし、さらに製造のコストを低く抑えることができるゴルフクラブヘッドとフェース板の結合構造を提供しようとするものである。
【０００５】
本発明の第一の目的は、フェース板とヘッド本体に少なくとも一個の塑性変形フランジとアンダーカット溝を適当に設置し、受圧変形による係止方式を利用して緊密な結合が形成されることにより、公差の精密度の要求性を低く抑え、加工の製造工程を簡単にし、さらに製造のコストを低く抑えることができるゴルフクラブヘッドとフェース板の結合構造を提供しようとするものである。
【０００６】
本発明の第二の目的は、フェース板に少なくとも一個の補助塑性変形フランジを設置し、補助塑性変形フランジが受圧変形によってヘッド本体の結合面に緊密に当接することにより、結合の隙間が生じるのを避けることができるため、結合の品質を高め、さらに打球の異音が生じるのを減らすことができるゴルフクラブヘッドとフェース板の結合構造を提供しようとするものである。
【課題を解決するための手段】
【０００７】
上記目的を達成するために、本発明によるゴルフクラブヘッドとフェース板の結合構造は、下記のようになるものである。すなわち、
ヘッド本体、フェース板、少なくとも一個のアンダーカット溝および少なくとも一個の塑性変形フランジにより構成される。ヘッド本体の正面には凹欠部が設けられる。フェース板の正面はゴルフボールを打球するのに用いられる。少なくとも一個のアンダーカット溝は例えばヘッド本体の正面およびフェース板の背面のどちらか一つに設けられる。少なくとも一個の塑性変形フランジは例えば対応するようにフェース板の背面およびヘッド本体の正面のどちらか一つに設けられ、さらに塑性変形フランジはアンダーカット溝に対応するように形成される。組立時において、塑性変形フランジの受圧変形によって係止部が形成されてアンダーカット溝の内部に係止されることにより、フェース板はヘッド本体に強固に結合される。
【０００８】
本発明によるゴルフクラブヘッドとフェース板の結合構造は、アンダーカット溝は斜めＶ字形の凹欠溝からなることもできる。また、塑性変形フランジは斜めＶ字形のフランジからなることもできる。また、塑性変形フランジの突出した先端点はアンダーカット溝の開口の範囲内に対応するように形成されることもできる。また、アンダーカット溝はヘッド本体の正面に形成され、そして塑性変形フランジはフェース板の背面に形成されることもできる。また、塑性変形フランジはヘッド本体の正面に形成され、そしてアンダーカット溝はフェース板の背面に形成されることもできる。また、ヘッド本体には他に位置決め溝および位置決めフランジが設けられ、さらにフェース板の背面には他に位置決めフランジが設けられ、フェース板の位置決めフランジはヘッド本体の位置決め溝に嵌入することができ、そして位置決めフランジのしまりばめにより係止されることもできる。また、他に補助塑性変形フランジが含まれ、補助塑性変形フランジは例えばヘッド本体の正面およびフェース板の背面のどちらか一つの外周縁に近いところに形成され、補助塑性変形フランジは受圧変形によって隙間充填部が形成されることにより、ヘッド本体とフェース板との結合の隙間を充填することもできる。また、補助塑性変形フランジは対応するように塑性変形フランジの外側に設けられることもできる。また、塑性変形フランジの突出した割合は補助塑性変形フランジより大きくなるように形成されることもできる。また、アンダーカット溝および塑性変形フランジは連続的にそれぞれ例えば対応するようにヘッド本体の正面およびフェース板の背面のどちらか一つに環設されることもできる。また、アンダーカット溝および塑性変形フランジは断続的にそれぞれ対応するようにヘッド本体の正面およびフェース板の背面のどちらか一つに環設されることもできる。また、ヘッド本体はアイアン型、ウッド型、パター型のヘッドからなることもできる。また、フェース板の断面はＵ字形に形成され、フェース板には折り曲げられた支持環状壁が設けられることにより、フェース板の弾性変形の能力を高めることもできる。また、アンダーカット溝および塑性変形フランジはそれぞれ対応するようにヘッド本体の正面およびフェース板の背面の支持環状壁の底端のどちらか一つに環設されることもできる。
【発明の効果】
【０００９】
本発明のゴルフクラブヘッドとフェース板の結合構造によれば、フェース板とヘッド本体に少なくとも一個の塑性変形フランジとアンダーカット溝を適当に設置し、受圧変形による係止方式を利用して緊密な結合が形成されることにより、公差の精密度の要求性を低く抑え、加工の製造工程を簡単にし、さらに製造のコストを低く抑えることができるという利点がある。
【００１０】
本発明のゴルフクラブヘッドとフェース板の結合構造によれば、フェース板に少なくとも一個の補助塑性変形フランジを設置し、補助塑性変形フランジが受圧変形によってヘッド本体の結合面に緊密に当接することにより、結合の隙間が生じるのを避けることができるため、結合の品質を高め、さらに打球の異音が生じるのを減らすことができるという利点がある。
【発明を実施するための最良の形態】
【００１１】
本発明の実施の形態について、以下、図面を参照して説明する。
【実施例１】
【００１２】
図１、２を参照すると、本発明の実施例１のゴルフクラブヘッドとフェース板の結合構造にはヘッド本体２およびフェース板３が含まれる。ヘッド本体２は例えば硬度が比較的高い金属材料により製成され、例えばステンレス、低炭素鋼または合金鋼により製成される。ヘッド本体２には結合面２１、凹欠部２２およびホーゼル２３が設けられる。結合面２１はヘッド本体２の正面に設けられ、さらに結合面２１には外周縁の近いところに沿って連続的にアンダーカット溝２１１が環設される。アンダーカット溝２１１はＶ字形の凹欠溝からなり、アンダーカット溝２１１の内周壁には例えばヘッド本体２の凹欠部２２の方向または外周縁の方向へ向いて傾斜になるように形成される。凹欠部２２はフェース板３が後方へ弾性変形するクッション空間として提供することができる。ホーゼル２３はヘッド本体２の凹欠部２２の一方に適当に設けられ、ホーゼル２３はゴルフクラブヘッドのシャフトと結合するのに用いられる。
【００１３】
再び図１、２を参照すると、本発明の実施例１のフェース板３は通常として弾性係数（Ｃ．Ｏ．Ｒ）が高くかつ硬度が比較的低い金属または合金材料により製成され、例えばチタン合金またはステンレスにより製成される。フェース板３の背面には塑性変形フランジ３１と補助塑性変形フランジ３２が設けられる。塑性変形フランジ３１は補助塑性変形フランジ３２の内側に設けられ、補助塑性変形フランジ３２はフェース板３の外周縁に近接するように形成される。塑性変形フランジ３１と補助塑性変形フランジ３２は斜めＶ字形のフランジからなり、塑性変形フランジ３１が突出した割合は補助塑性変形フランジ３２より少し大きくなるように形成される。塑性変形フランジ３１は例えばヘッド本体２の凹欠部２２の方向または外周縁の方向へ向いて傾斜になるように形成される。補助塑性変形フランジ３２は恒にヘッド本体２の外周縁の方向へ向いて傾斜になるように形成される。塑性変形フランジ３１と補助塑性変形フランジ３２の寸法が極めて小さいため、圧力を受けた時、両者の間には塑性変形が生じ勝ちである。塑性変形フランジ３１の突出した先端点３１１はアンダーカット溝２１１の開口の範囲内に対応するように形成される。補助塑性変形フランジ３２の突出した先端点３１１はヘッド本体２のアンダーカット溝２１１から外周縁の間の結合面２１までの範囲内に対応するように形成される。
【００１４】
再び図３、４を参照すると、本発明の実施例１のヘッド本体２とフェース板３が組立てを行う時、先ずフェース板３の背面の塑性変形フランジ３１と補助塑性変形フランジ３２をそれぞれヘッド本体２のアンダーカット溝２１１と結合面２１に対応するように維持させる。それから、フェース板３に対して下方へ適当な圧力を掛ける。この時、塑性変形フランジ３１の先端点３１１はアンダーカット溝２１１の開口の範囲内に位置するため、塑性変形フランジ３１は簡単にアンダーカット溝２１１に進入することができる。それから、塑性変形フランジ３１の先端点３１１を直ちにアンダーカット溝２１１の斜めＶ字形の壁面に当接させる。フェース板３が下方への圧力を受け続けることにより、塑性変形フランジ３１に塑性変形が生じ、さらに係止部３１’が形成されるため、アンダーカット溝２１１の内部に強固に係止し結合される。同様に、補助塑性変形フランジ３２も圧力を受けてヘッド本体２の結合面２１に当接され、さらに引き続き塑性変形により隙間充填部３２’が形成され、隙間充填部３２’によりフェース板３とヘッド本体２との結合位置において隙間が生じないように結合することができる。初歩的に結合された後、図５に示すように例えば貼接、硬ろう付けまたは熔接などの補強作業を行うことができ、さらに表面研磨の加工を行うことにより、結合の強度を強化すると共に、余分に突出した隙間充填部３２’を除去することができるため、ゴルフクラブヘッドをスムースに製成することができる。上述した結合の方式では、塑性変形フランジ３１の先端点３１１をアンダーカット溝２１１の開口の範囲内に位置させるだけで、公差の精密度の要求性を相対的に低く抑えることができるため、加工の製造工程を簡単にし、さらに製造コストを低く抑えることができる。
【実施例２】
【００１５】
図５を参照すると、本発明の実施例２のゴルフクラブヘッドとフェース板の結合構造が掲示される。実施例１と比較すると、実施例２においてアンダーカット溝２１１は例えば断続的に結合面２１の外周縁に近いところに環設されると同時に、塑性変形フランジ３１は対応するように例えば断続的に補助塑性変形フランジ３２の内周縁に環設され、そして補助塑性変形フランジ３は連続的にフェース板３の背面の外周縁に近いところに環設される。各塑性変形フランジ３１の長さは例えばアンダーカット溝２１１の長さより少し短くなるように形成することにより、公差の精密度の要求性を相対的に低く抑えると共に、圧力を施す具合を低く抑えることができるため、結合の製造工程の便利性を増やすことができる。また、補助塑性変形フランジ３２により同様にフェース板３とヘッド本体２との結合位置において隙間が生じないように結合することができるため、結合の品質と製造の歩留りを高めることができる。
【実施例３】
【００１６】
図６を参照すると、本発明の実施例３のゴルフクラブヘッドとフェース板の結合構造が掲示される。実施例１、２はアイアン型のヘッドに応用されることと比較すると、実施例３におけるアンダーカット溝２１１、塑性変形フランジ３１と補助塑性変形フランジ３２などの塑性変形の結合構造はウッド型に応用することができ、さらにパター型ヘッドにも応用することができるため、本発明の適用範囲を広げることができる。さらに、フェース板３の断面はＵ字形に形成され、フェース板３には折り曲げられた支持環状壁３３が設けられることにより、フェース板３の弾性変形の能力を高めることができる。その他に、支持環状壁３３の底端にも同様に塑性変形フランジ３１と補助塑性変形フランジ３２が設けられ、ヘッド本体２のアンダーカット溝２１１と結合面２１に対応するように形成されることにより、フェース板３も塑性変形の方式を利用してヘッド本体２に強固に結合することができるため、加工の製造工程を簡単にし、さらに製造コストを低く抑えることができる。
【実施例４】
【００１７】
図７、８を参照すると、本発明の実施例４のゴルフクラブヘッドとフェース板の結合構造が掲示される。実施例１と比較すると、実施例４においてフェース板３の断面はさらにＵ字形に形成され、フェース板３には折り曲げられた支持環状壁３３が設けられることにより、フェース板３の弾性変形の能力を高めることができる。また、支持環状壁３３の底端にも同様に塑性変形フランジ３１と補助塑性変形フランジ３２が設けられ、ヘッド本体２のアンダーカット溝２１１と結合面２１に対応するように形成されることにより、フェース板３も同様に塑性変形の方式を利用してヘッド本体２に強固に結合することができるため、加工の製造工程を簡単にし、さらに製造コストを低く抑えることができる。
【実施例５】
【００１８】
図９、１０を参照すると、本発明の実施例５のゴルフクラブヘッドとフェース板の結合構造が掲示される。実施例１と比較すると、実施例５においてはヘッド本体４およびフェース板５が含まれる。ヘッド本体４には位置決め溝４１、凹欠部４２、位置決めフランジ４３、塑性変形フランジ４４と補助塑性変形フランジ４５が設けられる。フェース板５の背面には位置決めフランジ５１、結合面５２とアンダーカット溝５３が設けられる。組立時において、フェース板５の位置決めフランジ５１はヘッド本体４の位置決め溝４１に嵌入し、さらに位置決めフランジ４３のしまりばめにより係止される。ヘッド本体４の塑性変形フランジ４４は先端点４４１によりアンダーカット溝５３の開口に当接し、そして塑性変形により係止部４４’が形成されてアンダーカット溝５３に係止される。図２、３における補助塑性変形フランジ３２と隙間充填部３２’と同様に、補助塑性変形フランジ４５によりヘッド本体４とフェース板５との間の隙間を充填することができることにより、フェース板５も同様に塑性変形の方式を利用してヘッド本体４に強固に結合することができるため、加工の製造工程を簡単にし、さらに製造コストを低く抑えることができる。
【産業上の利用可能性】
【００１９】
上述の如く、図１１に示す従来のゴルフクラブヘッドとフェース板の結合構造によれば、組立前においてはヘッド本体１１とフェース板１２に対してＣＮＣ機械加工を利用して公差の精密度を絶えずに修正しなければならないため、製造工程の複雑性を増やすばかりではなく、製造コストが高くなるという問題点があったが、図２に示す本発明のゴルフクラブヘッドとフェース板の結合構造によれば、フェース板３とヘッド本体２において対応するように塑性変形フランジ３１とアンダーカット溝２１１を設け、さらに受圧変形による係止方式を利用して緊密な結合を形成することにより、相対的に公差の精密度の要求性を確実に低く抑え、加工の製造工程を簡単にし、さらに製造のコストを低く抑えることができる。
【００２０】
本発明は、その精神及び必須の特徴事項から逸脱することなく他のやり方で実施することができる。従って、本明細書に記載した好ましい実施例は例示的なものであり、限定的なものではない。
【図面の簡単な説明】
【００２１】
【図１】本発明の実施例１のゴルフクラブヘッドとフェース板の結合構造を示す分解斜視図である。
【図２】本発明の実施例１のゴルフクラブヘッドとフェース板の結合構造による結合前における局部の断面図である。
【図３】本発明の実施例１のゴルフクラブヘッドとフェース板の結合構造による初歩的な結合時における局部の断面図である。
【図４】本発明の実施例１のゴルフクラブヘッドとフェース板の結合構造による加工完成後における局部の断面図である。
【図５】本発明の実施例２のゴルフクラブヘッドとフェース板の結合構造を示す分解斜視図である。
【図６】本発明の実施例３のゴルフクラブヘッドとフェース板の結合構造を示す分解斜視図である。
【図７】本発明の実施例４のゴルフクラブヘッドとフェース板の結合構造を示す分解斜視図である。
【図８】本発明の実施例４のゴルフクラブヘッドとフェース板の結合構造による結合前における局部の断面図である。
【図９】本発明の実施例５のゴルフクラブヘッドとフェース板の結合構造による結合前における局部の断面図である。
【図１０】本発明の実施例５のゴルフクラブヘッドとフェース板の結合構造による結合および加工後における局部の断面図である。
【図１１】従来のゴルフクラブヘッドとフェース板の結合構造による組み立てられた状態を示す断面図である。
【符号の説明】
【００２２】
１１    ヘッド本体                      １２    フェース板
１３    凹欠部                          １４    環状フランジ
１５    肩部                            １６    環状当接部
２    ヘッド本体                      ２１    結合面
２１１    アンダーカット溝                ２２    凹欠部
２３    ホーゼル                          ３    フェース板
３１    塑性変形フランジ                ３１’    係止部
３１１    先端点                          ３２    補助塑性変形フランジ
３２’    隙間充填部                    ３３    支持環状壁
４    ヘッド本体                      ４１    位置決め溝
４２    凹欠部                          ４３    位置決めフランジ
４４    塑性変形フランジ                ４４’    係止部
４４１    先端点                          ４５    補助塑性変形フランジ
５    フェース板                      ５１    位置決めフランジ
５２    結合面                          ５３    アンダーカット溝
【図１】
2006081860.tif 000003
【図２】
2006081860.tif 000004
【図３】
2006081860.tif 000005
【図４】
2006081860.tif 000006
【図５】
2006081860.tif 000007
【図６】
2006081860.tif 000008
【図７】
2006081860.tif 000009
【図８】
2006081860.tif 000010
【図９】
2006081860.tif 000011
【図１０】
2006081860.tif 000012
【図１１】
2006081860.tif 000013